(57)【要約】【課題】  火災感知器の火災を検知する構造に対して湿度センサを有効に配置する。【解決手段】  発光素子と、該発光素子からの発光に基づいて受光出力を生じる受光素子と、これらの間に検出区域を形成して周囲にラビリンス構造を備える略円筒状の暗箱と、を有する火災感知器において、前記暗箱内であって、かつ、前記受光素子の視野外に、湿度センサを配置している。そのため、湿度センサが受光素子へのノイズ光を発生させず、火災検出出力を得る動作の妨げとならないことを可能とする。【選択図】  図１
2005250987.tif 000002
【特許請求の範囲】
【請求項１】
発光素子と、該発光素子からの発光に基づいて受光出力を生じる受光素子と、これらの間に検出区域を形成して周囲にラビリンス構造を備える略円筒状の暗箱と、を有する火災感知器において、
前記暗箱内であって、かつ、前記受光素子の視野外に、湿度センサを配置していることを特徴とする火災感知器。
【請求項２】
湿度センサは、受光素子の検出区域側近傍に、暗箱平面に寝かせた状態で配置される請求項１の火災感知器。
【請求項３】
発光素子と、該発光素子からの発光に基づいて受光出力を生じる受光素子と、これらの間に検出区域を形成する複数の周壁によるラビリンス構造を備える略円筒状の暗箱と、を有する火災感知器において、
前記ラビリンス構造を構成する周壁の一つの面に沿って、湿度センサを配置していることを特徴とする火災感知器。
【請求項４】
湿度センサは、受光素子の視野外にある周壁の面に沿って配置される請求項３の火災感知器。
【請求項５】
湿度センサは、ラビリンス構造を構成する周壁の検出区域側の面に沿って配置される請求項３の火災感知器。
【発明の詳細な説明】
【技術分野】
【０００１】
この発明は、火災感知器に関する。
【背景技術】
【０００２】
従来、一般の建物には自動火災報知設備が設置され、建物の各部に複数の火災感知器が配置され、それらを集中監視する火災受信機が火災信号を受信して必要なエリアあるいは全館に火災警報を鳴動する。
【０００３】
このような火災感知器は、火災を感知するために熱、煙または炎等を検出しており、これらいずれかの検出レベルが上昇するときに火災と判別することとなる。しかし、これらの検出対象は必ずしも火災によって発生するとは限らず、そのため、誤報を発生しないように、各火災感知器を配置する必要がある。
【０００４】
また、こういった誤報源として、湯気を煙として検出することがあり、例えば、ホテルにおいて浴室から一気に個室内の天井面に広がるときに、火災感知器が誤動作することがある。この対策として、ファジーシステムを用いて実火災と非火災の判別を行おうとするものがあり、検出対象を複数要素とするとともに、非火災として喫煙や湯気の場合の事例からメンバーシップ関数を設定することが提案されている（例えば、特許文献１参照）。
【特許文献１】特開平６−３０１８７０号公報
【発明の開示】
【発明が解決しようとする課題】
【０００５】
このような、火災を複数要素で監視してファジーシステムによる複雑な処理を行うことは火災感知器が高価となるとともに、大型化することは避けられず、扱い難いものとなってしまう。実際の建物では、各部に用途があって誤報要因は特定されやすいことから、湯気が発生するところに湯気対策を行うことが簡便であり、湯気の存在については湿度を検出することによって把握でき、湿度センサの出力を監視して、湯気による誤報を排除することができる。
【０００６】
このような湿度センサは、湯気の存在のみでなく、環境状態の要素として火災判別に組込み、利用することは、特許第２５０５２２０号に開示されている。
【０００７】
したがって、この発明では、火災感知器の火災を検知する構造に対して湿度センサを有効に配置することを目的としている。
【課題を解決するための手段】
【０００８】
この発明の請求項１に係る火災感知器は、発光素子と、該発光素子からの発光に基づいて受光出力を生じる受光素子と、これらの間に検出区域を形成して周囲にラビリンス構造を備える略円筒状の暗箱と、を有する火災感知器において、前記暗箱内であって、かつ、前記受光素子の視野外に、湿度センサを配置していることを特徴とするものである。
【０００９】
さらに、この発明の請求項２に係る火災感知器は、湿度センサは、受光素子の検出区域側近傍に、暗箱平面に寝かせた状態で配置されるものである。
【００１０】
また、この発明の請求項３に係る火災感知器は、発光素子と、該発光素子からの発光に基づいて受光出力を生じる受光素子と、これらの間に検出区域を形成する複数の周壁によるラビリンス構造を備える略円筒状の暗箱と、を有する火災感知器において、前記ラビリンス構造を構成する周壁の一つの面に沿って、湿度センサを配置していることを特徴とするものである。
【００１１】
さらに、この発明の請求項４に係る火災感知器は、湿度センサは、受光素子の視野外にある周壁の面に沿って配置されるものであり、また、この発明の請求項５に係る火災感知器は、湿度センサは、ラビリンス構造を構成する周壁の検出区域側の面に沿って配置されるものである。
【発明の効果】
【００１２】
請求項１に係る火災感知器では、湿度センサを受光素子の視野外に配置することで、受光素子へのノイズ光を発生させず、湿度センサが火災検出出力を得る動作の妨げとならないことを可能とする。
【００１３】
請求項２に係る火災感知器では、湿度センサを暗箱平面に寝かせるので、湿度センサがノイズ光を発生させないとともに、検出区域内の雰囲気の湿度をダイレクトに検出することができる。
【００１４】
請求項３に係る火災感知器では、湿度センサをラビリンス構造を構成する周壁の一つの面に沿って配置するので、暗箱内の検出区域を避けた配置となり、ノイズ光を発生しないとともに、検出区域を空間的に制限しない。
【００１５】
請求項４に係る火災感知器では、湿度センサを受光素子の視野外に配置することで、受光素子へのノイズ光を発生させない。
【００１６】
請求項５に係る火災感知器では、周壁の検出区域側に沿って配置することで、検出区域内の雰囲気の湿度をダイレクトに検出することができる。
【発明を実施するための最良の形態】
【００１７】
実施形態１
図１乃至図４は、本発明の一実施形態である火災感知器１の構造を示すベース２に嵌合した縦断面図、暗箱内を示す横断面図、火災感知器１の正面図および底面図である。なお、火災感知器１は、通常天井面に設置され、図１の縦断面図のような向きになり、図２の横断面図については、火災感知器１を下方から見上げた方向での図を示している。
【００１８】
図１において、火災感知器１の本体は、基台８１および裏カバー８２により外形が形成され、その内部に、図示しないがマイコン等の回路素子が搭載されたプリント基板８３が配置されている。そして、暗箱８４内にプリント基板８３に接続された発光素子３１および受光素子４１が設けられ、さらに、湿度センサ７１が設けられている。
【００１９】
この暗箱８４の構造は略円筒状であって、上下の平面部８７、８８を有するとともに、図２に示されるように、複数の壁８５によるラビリンス構造によって外光を遮断すると同時に、周囲から外気とともに煙の流入を可能とする通路が形成されるようになっている。
【００２０】
この暗箱８４の内部に、発光素子３１および受光素子４１が対向しない位置に配置され、受光素子４１は、発光素子３１からの光を直接受光せず、暗箱８４内の検出区域８６に進入してきた煙の粒子による散乱光を受光するようにされている。
【００２１】
そして、湿度センサ７１は、受光素子４１の正面方向の視野を避ける配置として（暗箱８４の収容部に形成された開口９０に基づく所定角度に視野が形成されている）、受光素子４１の収容部の正面側で、検出区域８６が形成される暗箱８４の上平面部８７に沿って、寝かせた状態で配置されている。
【００２２】
この配置によって、湿度センサ７１は、煙ではなく湯気がこの暗箱８４内の検出区域８６に進入して受光素子４１が散乱光を検出するときに、同時に湿度センサ７１が高い湿度を検出することができる。そして、湿度センサ７１が暗箱８４内においてノイズ光を増大せず、煙粒子の動きの検出の邪魔にならず、そして、受光素子４１の出力に応答する湿度出力が可能となる。
【００２３】
なお、この湿度センサ７１の配置は、発光素子３１の発光範囲を避ける位置であり（暗箱８４の収容部に形成された開口９１に基づく所定角度に発光範囲が形成されている）、この点からも、ノイズ光を増大しない。
【００２４】
また、この実施形態１においては、湿度センサ７１を暗箱８４の上平面部８７に沿って設けているが、下平面部８８に沿って設けても同じことがいえる。ただし、上平面部８７に沿って湿度センサ７１を設けることで、上平面部８７を貫通すると、そのままプリント基板８３があり、構造が簡素となるとともに、製造も容易になる。
【００２５】
また、火災感知器１の暗箱８４に形成されるラビリンス構造は、図２に示すような周壁８５に形成されているが、必ずしも形状を特定するものでなく、“く”字状や“Ｔ”字状等の周壁の組合せであってもよい。また、発光素子３１および受光素子４１の向きは光軸が交差して“く”字状となるときのその平面が、暗箱８４の平面８７、８８と平行な方向になるように配置されているが、垂直に配置するように配置されても良い。
【００２６】
つぎに、上記実施形態１の回路構成について説明する。
【００２７】
図５は、本発明の一実施形態である火災感知器１を示すブロック回路図である。
【００２８】
図５において、マイコン（マイクロコンピュータ）１０は、火災感知器１の全体を制御するものであり、ＲＯＭ２０は、火災感知器１の全体を制御するためのプログラムが格納されているものであり、ＲＡＭ２１は、作業領域である。
【００２９】
ＥＥＰＲＯＭ２２は、火災判別基準としてそれぞれ複数段階の判別レベルおよび蓄積限界値等を記憶するものである。
【００３０】
発光回路３０は、マイコン１０から発光制御パルスを受けたときに発光素子３１に発光用の電流パルスを供給するものであり、増幅回路４０は、受光素子４１の出力レベルを所定のゲインで増幅するものである。信号出力回路５０は、マイコン１０から図示しない受信機に火災信号あるいは煙の物理量信号等の信号を送出するものである。また、確認灯５１は、火災感知器１が火災検出したときに点灯するものであり、定電圧回路６０は、マイコン１０に定電圧を供給する回路である。
【００３１】
湿度検出部７０は、火災感知器１の図２に示す暗箱８４内部の湿度を検出するものであり、図１に示すように、湿度に応答する高分子を利用した湿度センサ７１、サーミスタ７２および出力回路７３で構成されている。
【００３２】
次に、上記実施形態１の動作の一例について説明する。
【００３３】
図６は、上記実施形態において、マイコン１０が実行する動作を示すフローチャートである。
【００３４】
まず、電源投入時のイニシャル処理を行い（Ｓ１）、サンプリング周期（例えば約３秒）を取る、図示しないＣＲ回路（または発振回路等）によるタイムアップ時に（Ｓ２）、詳細に説明しないが、受光素子４１の増幅回路４０等の常時通電していないところに電源供給を行い（Ｓ３）、各種データ取込みの準備をする。ここで、増幅回路４０等にサンプリング時のみ通電するのは消費電流を低減させるためである。
【００３５】
そして、マイコン１０は、湿度検出部７０からの出力を湿度データＨとしてＡ／Ｄ変換して取込み（Ｓ４）、湿度の基準レベルとしての湿度平均値Ｈavを算出する（Ｓ５）。この湿度平均値Ｈavは、ＲＡＭ２１に所定時間として過去１分間分の湿度データＨを記憶しておき（約３秒周期として２０個分）、その平均値を算出し、湿度平均値Ｈavとする。この湿度平均値Ｈavは、所定時間の平均なので、湯気が発生してもすぐに上昇せず、安定した環境中の湿度としての数値を示すことができる。そのため、例えば夏期には高く、冬期には低い値となる。
【００３６】
つぎに、湿度上昇率ΔＨを算出する（Ｓ６）。この湿度上昇率ΔＨは、上記の湿度平
均値Ｈavに対する最新の湿度データＨとの差分であってもよいが、湿度平均値Ｈavが季節によって高低があり、そのレベルによって湯気の影響の大小がある。このことから、ＥＥＰＲＯＭ２２に湿度が飽和する状態での湿度データＨに相当する湿度飽和レベルＨｓを記憶しておき、環境中の湿度としての湿度平均値Ｈavから湿度飽和レベルＨｓまでの差に対して現在の湿度データＨがどこまで上昇したかという割合を、湿度上昇率ΔＨとしている。そのため、環境中の湿度が高い状態での湯気による小さい目の湿度上昇と、環境中の湿度が低い状態での湯気による大きい目の湿度上昇とを共通に判別することができる。
【００３７】
つぎに、湿度上昇率ΔＨに対する湿度の段階Ｓｈを判定してＲＡＭ２１に記憶する（
Ｓ７）。ここでいう湿度の段階Ｓｈとは、湯気のない状態から湯気が確実にある状態までをステップ分けするものであり、湿度上昇率ΔＨに基づいて例えば３段階に分けるこ
とができる。このような手順（Ｓ４からＳ７まで）で湿度検出部７０からの出力に基づいて湯気の存在を判別している。
【００３８】
そして、発光回路３０をトリガしてサンプルホールド回路２２の出力をＡ／Ｄ変換して煙検出データＡＤを取込み（Ｓ８）、ＲＡＭ２１に格納した後、ＲＡＭ２１内に記憶した湿度の段階Ｓｈに対応する火災判別レベルＬｈを読み出して（Ｓ９）、煙検出データＡＤと火災判別レベルＬｈと対比する（Ｓ１０）。通常状態では、火災判別レベルＬｈは例えば５％／ｍであり、煙検出データＡＤは火災判別レベルＬｈを越えない。そして、蓄積時間を「０」にリセットして（Ｓ１１）、詳細に説明しないが、マイコン１０はストップ状態（またはスリープ状態）となり、周期を取って、つぎのタイムアップのときに（Ｓ２）、起動することとなる。
【００３９】
次に火災発生時について説明すると、図６のフローチャートにおけるサンプルホールド回路２２の出力をＡ／Ｄ変換して取込んだ煙検出データＡＤが、火災の発生に基づいて大きな値となってくる（Ｓ８）。すると、火災判別レベルＬｈとの対比で煙検出データの方が大きくなり（Ｓ１０）、蓄積時間Ｃをカウントすることとなる（Ｓ１２）。
【００４０】
そして、ＲＡＭ２１内に記憶されている湿度の段階Ｓｈに相当する蓄積限界値Ｔｈを蓄積時間Ｃが超えなければ（Ｓ１４）、マイコン１０は通常状態と同様にストップ状態となりタイムアップ（Ｓ２）を待つようになる。そして、この煙検出データＡＤが火災判別レベルＬｈを超える状態が継続することで蓄積時間Ｃが増大していき（Ｓ１２）、通常状態では約１０秒から５０秒程度の所定値に設定される蓄積限界値Ｔｈを、蓄積時間Ｃが超えるときに、マイコン１０は火災と判別して（Ｓ１４）、火災発報動作を行う（Ｓ１５）。この火災発報動作について、マイコン１０は、信号出力回路５０を起動してスイッチング動作させて、信号線を介して図示しない火災受信機に火災信号を出力とともに、確認等５１を点灯制御して、火災感知器１が火災を検出したことを表示する。なお、この火災発報動作については、火災報知設備として必要な動作が行われ、その設備に応じて動作は異なってくる。
【００４１】
次に湯気の発生と同時に高い湿度が検出される場合について説明すると、図４のフローチャートにおいて、湿度検出部７０から取込んだ湿度データＨが高い値となり（Ｓ４）、湿度平均値Ｈavの算出の後に（Ｓ５）算出される湿度上昇率ΔＨが大きくなり（Ｓ
６）、その結果、湿度上昇率ΔＨに対する湿度の段階Ｓｈは湯気が存在するような段階
としてＲＡＭ２１に記憶される（Ｓ７）。
【００４２】
そして、湯気が発生していると、火災による煙の場合と同様、サンプルホールド回路２２の出力をＡ／Ｄ変換して取込んだ煙検出データＡＤが大きな値となってくるが（Ｓ８）、煙検出データＡＤと火災判別レベルＬｈとの対比において（Ｓ１０）、ＲＡＭ２１に記憶されている湿度の段階Ｓｈが高い段階にあると、火災判別レベルＬｈも高いレベル（例えば、通常状態の１．５倍）に設定され（Ｓ９）、簡単に火災判別レベルＬｈを越えないように設定される。まず、この煙検出データＡＤと火災判別レベルＬｈとの対比の段階で、湯気により火災と判別しにくいようになっている。
【００４３】
そして、湯気による煙検出データＡＤが通常より高い火災判別レベルＬｈを超えたとしても、ＲＡＭ２１内に記憶されている高い湿度の段階Ｓｈに相当する蓄積限界値Ｔｈが、火災判別レベルＬｈと同様に長い時間（例えば、通常状態の１．５倍）に設定され（Ｓ１３）、蓄積時間Ｃが蓄積限界値Ｔｈを簡単に超えないように設定される。このように、火災判別レベルＬｈと同様に、蓄積時間Ｃと蓄積限界値Ｔｈとの対比の段階でも、湯気により火災と判別しにくいようにされている。
【００４４】
このように、火災判別基準である火災判別レベルＬｈや蓄積限界値Ｔｈを火災と判別しにくく設定させることによって、湯気による誤報を防止するものであるが、湯気の発生と火災との同時発生が考えられることから、湿度データに基づく火災発報を全く禁止することとはしていない。このような火災判別基準の設定は火災判別レベルＬｈまたは蓄積限界値Ｔｈのいずれかであってもよく、その場合、双方を用いる場合よりも傾向を顕著とする必要がある。なお、湯気について、誤報要因としては一過性の場合がほとんどであり、湯気を持続させることはむずかしい。そのため、判別レベルの設定や蓄積の冗長によって判別までの時間をかけ、誤報を防止できる。
【００４５】
上記の説明では、火災感知器１として煙を検出する場合についての湯気対策に関して説明してきたが、必ずしも煙でなくてもよく、熱を検出する場合にも湯気に伴う熱気から誤報が発生することもあり、熱感知器の場合にも、同様に火災判別基準を変更して湯気による誤報を防止することができる。
【００４６】
また、湿度検出部７０からの湿度データＨに基づいて湿度の段階Ｓｈを多段に設定しているが、単に湿度対策の要否として、通常の火災判別レベルおよび蓄積限界値、湿度検出時の火災判別レベルおよび蓄積限界値を切り換えるようにしても良い。
【００４７】
このような、火災の検出に基づいて火災信号を出力する火災感知器１に対して、検出した煙濃度等をコード化してアナログデータとして火災受信機に伝送出力する、いわゆるアナログ式の火災感知器がある。湿度上昇率が大きいときの動作として、このアナログデータとしての煙濃度を、検出レベルの２／３にレベルダウンして送出するようにしてもよく、また、湿度上昇発生直前の煙濃度を蓄積時間の延長に相当する所定時間にわたり送出してもよい。さらに、このようなアナログ式に限らず、火災信号を送出する場合にも、単に所定時間にわたりゼロのレベルの送出あるいは火災信号出力の停止を行い、その後の状態で信号送出する停止手段であっても、湯気による誤報の発生を防止することができる。
実施形態２
図７は、本発明の一実施形態である火災感知器１の構造を示す暗箱内を示す横断面図である。なお、火災感知器１のその他の構造については、上記実施形態１と同様であり、説明は省略する。この実施形態２では、湿度センサ７１の配置のみが異なっている。
【００４８】
図７において、湿度センサ７１は、暗箱８４を構成するラビリンス構造の周壁８５の検出区域８６側の面に沿った状態で配置されている。
【００４９】
この配置によって、湿度センサ７１は、煙ではなく湯気がこの暗箱８４内の検出区域８６に進入して受光素子４１が散乱光を検出するときに、同時に湿度センサ７１が高い湿度を検出することができる。そして、湿度センサ７１が暗箱８４内においてノイズ光を増大せず、検出区域８６を空間的に制限せず、そして、受光素子４１の出力に応答する湿度出力が可能となる。
【００５０】
なお、この実施形態２における湿度センサ７１の配置は、受光素子４１の正面方向の視野を避ける配置である（暗箱８４の収容部に形成された開口９０に基づく所定角度に視野が形成されている）と同時に、発光素子３１の発光範囲を避ける位置であり（暗箱８４の収容部に形成された開口９１に基づく所定角度に発光範囲が形成されている）、この点からも、ノイズ光を増大しない。また、検出区域８６からは若干外れるが、湿度センサ７１自体の向きは検出区域８６を向くので、暗箱８４内の雰囲気を捕らえていることとなる。
【００５１】
また、この実施形態２においては、周壁８５の面に沿って湿度センサ７１を配置するので、実施形態１に比べて、一部のラビリンス構造による流路を制限し、煙流入特性に影響を及ぼしてしまうこととなるが、実施形態１のようにプリント基板８３に向けて湿度センサ７１の脚を折り曲げる必要がなく、実施形態１よりもさらに、構造が簡素となるとともに、製造も容易になる。
実験例
次に、火災感知器１に対する湯気の影響についての実験例を説明する。
【００５２】
図８は、実験方法に関する説明図であり、また、図９は実験に基づく出力を示すグラフである。
【００５３】
図８において、火災感知器１は、図示しないが、筐体の内部と外部に湿度センサを設けてあり、内部の湿度センサについては、図２および図３のように、暗箱８４内に湿度センサ７１が取り付けている。この火災感知器１は、机９６の上面から斜めに形成された板状の取付台９７に設置され、その下方に、スチーム式の加湿器９８が配置されている。そして、加湿器９８の上方に位置する火災感知器１を遮るように、引き出し９９が配置され、その引き出し９９が出し入れできるようになっている。
【００５４】
この火災感知器１の煙検出出力および両湿度センサの出力は、それぞれ図示しないロガーに接続されてデータが採取できるようにされている。
【００５５】
そして、加湿器９８から発生する湯気を、火災感知器１に作用させてそのデータを記録するわけであるが、加湿器９８をスタートさせて１０秒後に引き出し９９を机９６に収容し、火災感知器１に湯気を印加した。なお、実験の環境における気温は約２２℃、湿度は３０％であった。
【００５６】
図９において、縦軸は左側が両湿度センサの出力、右側が火災感知器１の煙検出出力であって、横軸は経過時間であり、曲線Ａが火災感知器１の外側の湿度センサの出力、曲線Ｂが火災感知器１の暗箱８４内の湿度センサの出力、そして、曲線Ｃが火災感知器１の煙検出出力である。このグラフにおける経過時間１０秒の時点で、引き出し９９を机９６に収納し、湯気を火災感知器１に印加した。
【００５７】
その結果、曲線Ｃを見ると、湯気の印加後約１０秒で火災感知器１の煙検出出力が立ち上がっており、湯気によって誤報が生じさせることができることが理解できる。そして、この湯気による煙検出出力の立ち上がりと同様に、曲線Ａも曲線Ｂも急激に立ち上がっているが、暗箱８４内と外部という配置の違いから、曲線Ａに比べて曲線Ｂの立ち上がり位置がほぼ一致しており、この結果からは、湯気による煙検出出力の上昇とともに、湿度も上昇することが確認でき、煙検出出力との応答性の関係で、暗箱８４内で湿度を検出することが好ましいことが理解できる。
【００５８】
また、詳細に説明しないが、暗箱８４内における湿度センサ７１の配置について、湿度センサ７１の位置を種々変えながら、受光素子４１のノイズ出力を測定したところ、上記実施形態１に示されているように、受光素子４１の正面側直近、暗箱８４の上平面部８７に沿って寝かせる配置が最もノイズ光が少ないことを確認した。
【００５９】
さらに、ラビリンス構造を形成する周壁８５の面に沿って湿度センサ７１を配置しようとする場合には、実施形態２に示されるように、受光素子４１の直近で発光素子３１に近い側の周壁８５に沿って配置することが、ノイズ光が少ないことを確認した。
【図面の簡単な説明】
【００６０】
【図１】この発明の実施形態１を示す火災感知器の縦断面図。
【図２】図１の火災感知器の暗箱内を示す横断面図。
【図３】図１の火災感知器の正面図。
【図４】図１の火災感知器の底面図。
【図５】図１の火災感知器の構成を示すブロック回路図。
【図６】図１の火災感知器の動作を示すフローチャート。
【図７】この発明の実施形態２を示す火災感知器の暗箱内を示す横断面図。
【図８】この発明の実験例に関する説明図。
【図９】この発明の実験例に基づくデータを示すグラフ。
【符号の説明】
【００６１】
１    火災感知器
１０  マイコン
３１  発光素子
４１  受光素子
７０  湿度検出部
７１  湿度センサ
８４  暗箱
８５  周壁
８６  検出区域
【図１】
2005250987.tif 000003
【図２】
2005250987.tif 000004
【図３】
2005250987.tif 000005
【図４】
2005250987.tif 000006
【図５】
2005250987.tif 000007
【図６】
2005250987.tif 000008
【図７】
2005250987.tif 000009
【図８】
2005250987.tif 000010
【図９】
2005250987.tif 000011